(57)【特許請求の範囲】
【請求項１】
概説建造物の基礎杭の周辺の所定位置に複数本の補助杭を打ち込み、該補助杭のそれぞれの上辺に第一のサポートジャッキを取り付けて建造物を支持させ、基礎杭と建造物とを切り離して建造物の下方に耐圧版を敷設し、所要数の第２のサポートジャッキおよびオイルジャッキを耐圧盤上に載置し、一方免震装置と建物の底面との間に形成する上部コンクリート支承部を介して第２のサポートジャッキおよびオイルジャッキにより免震装置を建造物に密接させ、次いでオイルジャッキを除去した後、第２のサポートジャッキを下部コンクリート支承部により耐圧盤に固着させることを特徴とする免震荷重受替え方法。
【発明の詳細な説明】
【０００１】
【発明の属する技術分野】
本発明は、高層建造物を地震等の被害から守るため、激しい地震動を建造物に伝えない免震装置を設置するための免震荷重受替え方法に関するものである。
【０００２】
【従来の技術】
従来、高層建造物を構築するに当っては、通常、地中に多数の基礎杭を打ち込み、その先端が岩盤等の支持層に達して固定されると、これら各基礎杭を結んでその上面位置に耐圧盤となるコンクリートを打ち、この耐圧盤上に免震装置を取り付けて建造し、建造物の重量が免震装置を介して耐圧盤により受け止められた状態に構築されていた。
このような状態で地震動が発生したときに、耐圧盤は揺れても、耐圧盤上に設置された免震装置に地震動が吸収され、建造物の地震動による揺れを可及的に迅速かつその大部分を減衰させることがおこなわれている。
【０００３】
【発明が解決しようとする課題】
上述した免震装置を用いた高層建造物は、これから新しく構造建造物を構築する場合には最上の方法ではあるが、既設の高層建造物には適用することが出来ないという問題点がある。
本発明は、上記事情に鑑みてなされたもので、既設の高層建造物の荷重のかかる基礎杭の周辺の所定位置に、それぞれの荷重に応じて免震装置を敷設することのできる免震荷重受替え方法を提案しようとするものである。
【０００４】
【課題を解決するための手段】
上記目的を達成するため、本発明の免震荷重受替え方法は、概説建造物の基礎杭の周辺の所定位置に複数本の補助杭を打ち込み、該補助杭のそれぞれの上辺に第一のサポートジャッキを取り付けて建造物を支持させ、基礎杭と建造物とを切り離して建造物の下方に耐圧版を敷設し、所要数の第２のサポートジャッキおよびオイルジャッキを耐圧盤上に載置し、一方免震装置と建物の底面との間に形成する上部コンクリート支承部を介して第２のサポートジャッキおよびオイルジャッキにより免震装置を建造物に密接させ、次いでオイルジャッキを除去した後、第２のサポートジャッキを下部コンクリート支承部により耐圧盤に固着させることを特徴とするものである。
【０００５】
【作用】
上記した免震荷重受替え方法によれば、既設建造物を何等損なうことなく基礎杭または基礎面の所定位置に免震装置を設置することが可能となり、既設建造物は免震装置上に構築された新建造物と同様に安全管理を保つことができる。
また、免震装置の取付後オイルジャッキの除去に際して、免震装置への荷重導入時の荷重、及び変位量の管理も容易となり格段に優れた建造物を得ることができる。
【０００６】
【発明の実施の形態】
以下、本発明の実施の形態を図面を参照して詳細に説明する。
図１は免震荷重受替え方法の主要部を示す一部断面図、図２は免震荷重受替え方法に用いられるサポートジャッキの外観斜傾図、図３は免震装置の一例を示す断面図である。
【０００７】
図１の実施例において、既設の建造物１の下側には、建造物１を支える基礎杭２が連接して設けてあるが、図１に示したものは基礎杭２の一部を建造物１の床から既に切離したもが示してある。この基礎杭２の左右には地下岩盤に達する補助杭３Ｌ，３Ｒが設けてあって、これらの補助杭３Ｌと３Ｒとの上部には第１のサポートジャッキ４Ｌ，４Ｒが取り付けられ建造物１の底面部を支持するように設置してある。
前記基礎杭２の切り離された下方の部分と、基礎杭２の周辺に設けられた補助杭３Ｌ，３Ｒ等を結んで耐圧盤５が設けられ、該耐圧盤５と建造物１の底面部との間には、第２のサポートジャッキ７と各ジャッキ間に組み合されたオイルジャッキ８とが配され、第２のサポートジャッキ７の上には免震装置９が載置され、免震装置と建造物の底面との間隙には上部コンクリート支承部６を、例えばコンクリートを流し込んで形成し、上部コンクリート支承部６を介して建造物の荷重を支承するようにする。
なお、図中オイルジャッキ８は後述する作業行程において除去されるため点線を以って示してある。また、第２のサポートジャッキ７を囲む点線部分は下部コンクリート支承部１０で最終行程においてサポートジャッキを固着することを示したものである。
【０００８】
前記第１のサポートジャッキ４Ｌ，４Ｒは、図２に示した形状のもので、方形の上部台板１１と下部台板１２とを有し、下部台板１２の４隅には直管１３を立設し、上部台板１１の４隅には螺合して螺杆１４を前記直管１３内に挿入したものである。
また、第２のサポートジャッキ７は高重量荷重を受けるものとして前記直管と螺杆との数を増したものであって、上記したサポートジャッキは本願出願人が特許第１７８１３１６号重構造物打上支持装置として権利を取得したものである。
【０００９】
これらのサポートジャッキ４及び７はいずれも下部台板１２を固定し、上部台板１１側を例えばオイルジャッキ８にて押し上げ上構物に上部台板１１を押し当てておき、螺杆１４のナット１５を回わし下げ、該ナット１５が直管１３に接して上部台板１２を固定するものである。この上部台板１２の固定後には前記オイルジャッキ８を除去しても上部台板１２はナット１５と直管１３の上辺の接触により上構物を支えることができるものである。
【００１０】
前記免震装置９は図３に示すような市販品で上部円板１６と下部円板１７との間で、中央に円柱状の鉛プラグ１８を設け、周囲に内部鋼板１９とゴム板２０と積層し、その上下を連結鋼板２１で挟んだ部材を円柱状に形成し、外周を被覆ゴム２２で包んだものを用いている。そして、高荷重の場合には鉛プラグ１８の大きさを調整するようになっている。
この免震装置９は上部円板１６側を建造物１側に固定し、下部円板１７側を建造物１の基礎側に固定することにより、建造物１は免震装置９を介して立設されることになり、例えば基礎側に地震動が伝達されても、前記鉛プラグ１８と積層された内部鋼板１９とゴム板２０とによって消去され、建造物１側には震動が伝わらないように構成されたものである。
なお、免震装置９は図３に示した以外にも多くの種類があり、建造物の重量が形状等に応じて用意することができるものである。
【００１１】
上記した第１のサポートジャッキ４、第２のサポートジャッキ７、オイルジャッキ８及び免震装置９を用いた免震荷重受替え方法は、下記作業手順によって行なわれる。
（１）建造物１の基礎杭２（基礎杭のない場合には、建造物の基礎面の所定の場所）における堀削作業
（２）基礎杭２の周辺に設ける補助杭３の打込作業（補助杭３は作業場所が狭少であることから鋼管の圧入が望ましい）
（３）補助杭３上への第１のサポートジャッキ４の取付調整作業
（４）基礎杭２の一部切離作業
（５）補助杭３と基礎杭２の下部を固定するための耐圧盤５の敷設作業
（６）耐圧盤５上への第２のサポートジャッキ７とオイルジャッキ８との取付け及び免震装置９の載置作業ならびに上部コンクリート支承部の形成作業
（７）オイルジャッキ８による免震装置９の上部コンクリート支承部６への密接調整及び第２のサポートジャッキ７の支持固定作業
（８）オイルジャッキ８の除去及び第２のサポートジャッキ７の下部コンクリート支承部１０による固着作業を行なうことにより完成される。
【００１２】
上記した作業工程により一箇所の免震荷重受替えは終了するので、以下、順次に他の基礎杭、また基礎杭のない場合は建造物の基礎面の所定位置についても同様の作業を繰返すことにより既設の建造物免震化は容易に行なうことができる。該作業においては各基礎杭および基礎面の所定の場所についての荷重量が実測可能であることから大きな建造物であっても、個々の場所に適合する免震装置を取り付けることが出来るので、地震動に対する免震効果を増大することができる。
【００１３】
【発明の効果】
以上、詳細に説明したように、本発明に係る免震荷重受替え方法は、個々の基礎杭の位置に、また基礎杭のない場合は建造物の基礎面の所定の位置に、免震装置を荷重の大小に応じて選択して取り付けられ、安全性はより高くなると共に、作業に個々の位置より順次行なうことが可能となるので、既設の高層建造物であっても居住する人々を移動させることなく実施することができる特長がある。
【図面の簡単な説明】
【図１】本発明の免震荷重受替え方法の主要部を示す部分断面図である。
【図２】図１に使用されるサポートジャッキの外観斜視図である。
【図３】図１に使用される免震装置の一例を示す断面斜視図である。
【符号の説明】
１    建造物
２    基礎杭
３    補助杭
４    第１のサポートジャッキ
５    耐圧盤
６    上部コンクリート支承部
７    第２のサポートジャッキ
８    オイルジャッキ
９    免震装置
１０  下部コンクリート支承部
【図１】
0003715402.tif 000002
【図２】
0003715402.tif 000003
【図３】
0003715402.tif 000004